(57)【要約】【課題】閉止状態において、化粧料収納部の高い気密性を実現することが可能なスライド式コンパクト容器を提供する。【解決手段】化粧料収納部６を有するスライド皿３が枠体２に対しスライド移動自在に設けられ、スライド皿を枠体に収納した状態では、化粧料収納部を気密に保持するためにスライド皿の上面が枠体の天板８内側の環状パッキン１２に圧接されるスライド式コンパクト容器１であって、スライド皿の下面に、下方に突出する係合凸部１８を形成し、枠体底板１１上面に、係合凸部を摺動自在に係合させてスライド皿のスライド移動を案内する案内溝１５を形成するとともに、案内溝に、スライド皿を枠体内方に押し込むにつれて、スライド皿を環状パッキンに向かって押し上げる傾斜部１６を設けた。【選択図】図２
2006263188.tif 000002
【特許請求の範囲】
【請求項１】
化粧料収納部を有するスライド皿が枠体に対しスライド移動自在に設けられ、上記スライド皿を上記枠体に収納した状態では、上記化粧料収納部を気密に保持するために上記スライド皿の上面が上記枠体の天板内側の環状パッキンに圧接されるスライド式コンパクト容器であって、
上記スライド皿の下面に、下方に突出する係合凸部を形成し、上記枠体底板上面に、上記係合凸部を摺動自在に係合させて上記スライド皿のスライド移動を案内する案内溝を形成するとともに、該案内溝に、上記スライド皿を上記枠体内方に押し込むにつれて、該スライド皿を上記環状パッキンに向かって押し上げる傾斜部を設けたことを特徴とするスライド式コンパクト容器。
【請求項２】
前記係合凸部を、前記環状パッキンの中央付近に配置するとともに、その下端部を曲面に形成したことを特徴とする請求項１に記載のスライド式コンパクト容器。
【請求項３】
前記スライド皿と前記枠体との間には、該スライド皿を該枠体に収納するときに、両者を互いに係脱自在に係合しロック状態とするロック機構と、該ロック状態を解除するためのロック解除機構とを設けたことを特徴とする請求項１または２に記載のスライド式コンパクト容器。
【発明の詳細な説明】
【技術分野】
【０００１】
本発明は、閉止状態において、化粧料収納部の高い気密性を実現することが可能なスライド式コンパクト容器に関する。
【背景技術】
【０００２】
従来、スライド式コンパクト容器に関する技術として、例えば特許文献１に開示されたものが知られている。この技術は、化粧料収納部を有するスライド式の中皿を箱状の枠体に引き出し自在に格納している。枠体底面の中央部と後方部には凹陥部が隆起形成され、これら各凹陥部に対応させて、スライド皿下面の中央部と後方部に突起が形成されている。スライド皿を枠体に押し込み、枠体中に完全に格納することによって、容器を閉止する際には、上記各凹陥部の上に上記各突起が乗り上げ、これら突起と凹陥部とが互いに嵌合しあうことにより、スライド皿と枠体とが互いに係止される。これら突起と凹陥部との嵌合状態、すなわちスライド式コンパクト容器の閉止状態では、化粧用収納部の上縁に形成された環状隆起が枠体の天板内側に設けられたパッキンに押しつけられて、化粧料収納部の気密が図られる。
【０００３】
上記両凹陥部は、ともに頂部断面が略Ｍ字状に形成されており、中央に形成された凹部と、当該凹部の両側に隆起形成された凸部とからなる。また、枠体の後端は開口されており、スライド皿を枠体から引き出す際、特にスライド皿の引き出し操作の開始時点でスライド皿と枠体との間の係合状態を解除する際には、後端の開口部から指でスライド皿を前方に押し出すことによって、上記各突起と各凹陥部との嵌合を解除する。これらの嵌合を解除した後は、スライド皿をその前端部分を把持しつつ枠体から容易に引き出すことができる。
【特許文献１】実公昭６１−３８４９３号公報
【発明の開示】
【発明が解決しようとする課題】
【０００４】
ところで、上記従来のスライド式コンパクト容器では、スライド皿を枠体に押し込んでゆく際、上記両突起が、上記両凹陥部それぞれの凸部に乗り上げた際に最も上方に位置し、その後これを乗り越えて下降し、突起の下端が凹部の最下点に収まった時点で嵌合状態となる。従って、化粧料収納部の上縁は、突起が凸部に乗り上げた時点で、パッキンに対し最も強く圧接され、その後突起が凹部に嵌合された時点では、若干その圧接力が緩むようになっていた。
【０００５】
ここで注意すべきことは、嵌合状態（容器の閉止状態）のときの化粧料収納部上縁とパッキンとの間の圧接力が強すぎる場合、突起が凸部に乗り上げた際にはそれ以上に強い圧接力が発生するので、突起が凹陥部の凸部を乗り越えることがあまりにも困難となってしまう。ひいては、スライド皿を枠体から引き出す際に、突起と凹陥部との嵌合を解除すること、およびスライド皿を枠体に押し込み、完全な閉止状態とすることが困難となってしまう。従って必然的に、閉止状態での化粧料収納部とパッキンとの間の圧接力を適度に弱めざるを得ず、さらにその結果、閉止状態での化粧料収納部の気密性を若干犠牲にせざるを得なかったため、閉止状態において十分な気密性を確保することができず、特に揮発性成分を多く含有した化粧料などの場合には劣化しやすいという課題があった。
【０００６】
その上、上記従来技術では、枠体の後端が開口されているため、閉止状態においてスライド皿の後方は完全に大気中に暴露された状態であったため、より一層、化粧料収納部の気密性の点で問題があった。
【０００７】
本発明は上記従来の課題に鑑みて創案されたものであって、閉止状態において、化粧料収納部の高い気密性を実現することが可能なスライド式コンパクト容器を提供することを目的とする。
【課題を解決するための手段】
【０００８】
本発明にかかるスライド式コンパクト容器は、化粧料収納部を有するスライド皿が枠体に対しスライド移動自在に設けられ、上記スライド皿を上記枠体に収納した状態では、上記化粧料収納部を気密に保持するために上記スライド皿の上面が上記枠体の天板内側の環状パッキンに圧接されるスライド式コンパクト容器であって、上記スライド皿の下面に、下方に突出する係合凸部を形成し、上記枠体底板上面に、上記係合凸部を摺動自在に係合させて上記スライド皿のスライド移動を案内する案内溝を形成するとともに、該案内溝に、上記スライド皿を上記枠体内方に押し込むにつれて、該スライド皿を上記環状パッキンに向かって押し上げる傾斜部を設けたことを特徴とする。
【０００９】
また、前記係合凸部を、前記環状パッキンの中央付近に配置するとともに、その下端部を曲面に形成したことを特徴とする。
【００１０】
また、前記スライド皿と前記枠体との間には、該スライド皿を該枠体に収納するときに、両者を互いに係脱自在に係合しロック状態とするロック機構と、該ロック状態を解除するためのロック解除機構とを設けたことを特徴とする。
【発明の効果】
【００１１】
本発明にかかるスライド式コンパクト容器にあっては、閉止状態において、化粧料収納部の高い気密性を実現することが可能となる。
【発明を実施するための最良の形態】
【００１２】
以下に、本発明にかかるスライド式コンパクト容器の好適な一実施形態を、添付図面を参照して詳細に説明する。本実施形態のスライド式コンパクト容器（以下、単に容器という）１は、基本的には、おおよそ直方体形状で前端側の端面が開口された枠体２と、当該枠体２に対しスライド移動自在に設けられ、上記枠体２の前端側開口部２ａから出し入れ可能なスライド皿３とから構成される。
【００１３】
スライド皿３は、基本的には、枠体２内に出し入れされるスライド皿本体部４と、スライド皿本体部４の前端に一体的に形成された蓋部５とから構成される。矩形板状の蓋部５は、スライド皿本体部４の縦断面よりも大きな寸法を有している。より詳細には、スライド皿本体部４よりも上下左右に張り出して、枠体２の縦断面とほぼ同一形状を有している。その結果、スライド皿３が枠体２に完全に収納された状態、すなわちスライド式コンパクト容器１の閉止状態（以下、単に閉止状態という）において、枠体２の前端側開口部２ａに当接してぴったりと封止するとともに、スライド皿３がそれ以上枠体２内方へ押し込まれることを規制する。
【００１４】
スライド皿本体部４には、その前後方向（スライド移動方向）中程に、平面形状がおおよそ矩形で凹状の化粧料収納部６が左右に２つ並列に設けられている。また、これら化粧料収納部６よりも前端寄りの位置には、平面形状が各化粧料収納部６よりも横長（左右方向が長手）の矩形状で、凹状の化粧用具収納部７が形成されている。なお、枠体２やスライド皿３、化粧料収納部６などの形状は本実施形態のような直方体形状や平面矩形状に限らず、平面円形など、他の形状であってもよいことはもちろんである。
【００１５】
枠体２は、おおよそ矩形板状の天板８と、その他の部分すなわち左右側壁９、後壁１０、および底板１１とが一体形成された本体部分とが互いに接合されて形成されている。枠体２の天板８内側には、おおよそ矩形の環状パッキン１２が設けられており、閉止状態において、スライド皿３の上面、より詳細にはスライド皿３の両化粧料収納部６の四方を囲繞する周壁１３の上面がこの環状パッキン１２に圧接される。
【００１６】
環状パッキン１２は、下方に突出しスライド皿３に圧接される部分である環状膨出部１２ａと、当該環状膨出部１２ａから一体的に内方（枠体２の中心方向）へ張り出し、天板８に密着されたフランジ部１２ｂとから構成されている。天板８の中央部、環状パッキン１２の内側には、パッキン押さえ板１４が設けられている。パッキン押さえ板１４の中央部分は超音波接着などの手段により天板８に直に接合されており、パッキン押さえ板１４の周縁部分は、上記環状パッキン１２のフランジ部１２ｂの下方に密着してこれを支持し、これにより環状パッキン１２が枠体２の天板８に固定されている。
【００１７】
枠体２の底板１１の上面には、その左右方向中央部分に、前端側開口部２ａから、底板１１の中心付近よりも若干前方の位置まで延長された平面矩形状の案内溝１５が形成されている。当該案内溝１５の後端部分には傾斜部１６が設けられている。傾斜部１６は、案内溝１５の底面から次第に上昇するよう傾斜し、案内溝１５の後端において、底板１１の上面と同一レベルとなるよう形成されている。
【００１８】
スライド皿３の後端面３ａの、左右の端部には、後方に向かって突出した薄板上の、可撓性を有する後方突出片１７が一体的に形成されている。また、スライド皿３の下面には、両化粧料収納部６を合わせた領域の中央付近、すなわち環状パッキン１２の中央付近に相当する位置に、下方に突出した係合凸部１８が形成されている。この係合凸部１８は上記案内溝１５に常に係合されて案内溝１５内を摺動し、スライド皿３のスライド移動を案内する。
【００１９】
係合凸部１８の下端部は、おおよそ球面の一部に近い形状の曲面に形成されている。スライド皿本体部４の下面側は、係合凸部１８下端の一点のみで底板１１上に支持されている。他方、スライド皿本体部４の上面側は、閉止状態では、両化粧料収納部６を囲繞する周壁１３の上面においてのみ、環状パッキン１２に圧接される。スライド皿本体部４の上面側も下面側も、これら以外の部分においてはすべて、枠体２との間に間隙が設けられている。その結果、スライド皿本体部４は、枠体２の底板１１上に係合凸部１８下端を支点にしてピボット的に揺動自在に支持される。このことにより、閉止状態において、製造・組み立て時の各部の寸法精度のばらつきなどにより、環状パッキン１２の周方向にわたる圧接状態の不均一が発生したとしても、環状パッキン１２の全周に対し均等な力で圧接されるよう、スライド皿本体部４が揺動し、当該不均一を吸収することができる。
【００２０】
枠体２の左右側壁９の前端部分には、後述する切り欠き部１９が形成されている。また、当該左右側壁９の内側、切り欠き部１９よりも若干後端寄りの位置には、側壁９に一体的に突出形成されて、後述するスライド規制突起２０が設けられている。
【００２１】
スライド皿３が次第に枠体２内方に押し込まれ、枠体２に完全に収納されてスライド式コンパクト容器１が閉止状態（図２、図３参照）となるときには、スライド皿３と枠体２との間に設けられたロック機構２１により、両者が互いに係合されてロック状態となる。一方、スライド皿３を引き出すためにスライド皿３と枠体２とのロック状態を解除する際には、両者の間に設けられたロック解除機構２２を用いる。
【００２２】
ロック機構２１は、枠体２の左右各側壁９内側の後端近くに一体的に突出形成されたロック用突起２１ａと、スライド皿３の左右の後方突出片１７の後端部に一体的に、外側に向かって鍵状に突出するよう形成されて上記ロック用突起２１ａに係合するフック部２１ｂとから構成される。
【００２３】
ロック解除機構２２は、枠体２とスライド皿３のうち一方の側に設けられ、スライド皿３のスライド移動方向に対し傾斜した第１傾斜面２２ａと、他方側に設けられ、スライド式コンパクト容器１の閉止状態において、当該第１傾斜面２２ａに摺動自在に当接する第２傾斜面２２ｂを有するロック解除ボタン２２ｃとから構成される。
【００２４】
より具体的には本実施形態では、ロック解除機構２２の第１傾斜面２２ａは、枠体２の左右各側壁９に形成された切り欠き部１９の後端部分に設けられており、鉛直面内に配置された平面として、かつまたスライド皿３のスライド移動方向とおおよそ４５度の角度をなす平面として形成されている。
【００２５】
他方、ロック解除ボタン２２ｃは、スライド皿３の蓋部５の左右両端部からこれと一体的に、後方に向かって突出した薄板形状で弾性変形可能に形成されている。ロック解除ボタン２２ｃの第２傾斜面２２ｂは、ロック解除ボタン２２ｃの後端部内側に設けられており、スライド式コンパクト容器１の閉止状態において、第１傾斜面２２ａに面接触するような角度および形状に形成されている。ロック解除ボタン２２ｃの第２傾斜面２２ｂの反対側（すなわち外側）には、ロック状態を解除する際に手指にて押圧操作する部分である操作部２２ｄが設けられている。操作部２２ｄは、押圧操作を容易にするために、ロック解除ボタン２２ｃの他の部分よりも若干肉厚に形成されているとともに、その表面には複数の滑り止め溝２２ｅが形成されている。
【００２６】
左右各ロック解除ボタン２２ｃの操作部２２ｄを、スライド皿３の幅方向内方へ押圧すると、各ロック解除ボタン２２ｃは弾性変形し、蓋部５との接続部分を基点に後端側が当該方向へと若干撓む。その際、左右それぞれの第２傾斜面２２ｂが枠体２の各第１傾斜面２２ａ上を、第１傾斜面２２ａの後端側縁辺から前端側縁辺へと向かう方向に摺動する。この第１傾斜面２２ａと第２傾斜面２２ｂとの間の摺動により、押圧操作で加えられたスライド皿３幅方向の力が、前後方向の、枠体２とスライド皿３とを互いに引き離そうとする力に変換され、これがロック機構２１にも伝達されてロック用突起２１ａとフック部２１ｂとの係合が解除される。
【００２７】
また、枠体２の第１傾斜面２２ａの内側は、枠体２の側壁９の他の部分よりも若干内方へ突出した形状となっている。この結果、突出がない場合に比して、第１傾斜面２２ａの前端側縁辺は前方、かつ枠体２の側壁９の内方へと張り出している。この張り出しにより、ロック解除ボタン２２ｃを内方へ強く押圧操作した場合でも、第２傾斜面２２ｂが第１傾斜面２２ａの前端側縁辺を簡単には越えてしまわないような構成となっている。
【００２８】
また、第１傾斜面２２ａ内側の突出部分は、スライド皿３の枠体２からの脱落を防止するための脱落防止部２３としても機能している。すなわち、スライド皿３の前方へのスライド移動は、通常はスライド皿３のフック部２１ｂが枠体２の側壁９内側に設けられたスライド規制突起２０に突き当たる位置で停止される。ところが、過度に強くスライド皿３を引き出してしまった場合は、フック部２１ｂがスライド規制突起２０を乗り越えてスライド移動してしまうが、脱落防止部２３に突き当たって係止されることにより、スライド皿３の枠体２からの脱落が防止される。
【００２９】
以上の構成を備える本実施形態にかかるスライド式コンパクト容器１の作動について説明する。まず、スライド皿３を枠体２に押し込み、収納するには、枠体２を片手の手指などで保持しつつ、スライド皿３を、その前端の蓋部５に他方の手の指などを押し当て、枠体２内方に押し込む。その際、スライド皿３下面の係合凸部１８が枠体２底板１１上面の案内溝１５内を摺動することにより、スライド皿３は、枠体２に対し左右方向中央に位置するよう案内されつつ枠体２の内方へと押し込まれる。
【００３０】
スライド皿３が次第に枠体２の内方へと押し込まれてゆくと、案内溝１５の終端部に設けられた傾斜部１６により、スライド皿３が次第に押し上げられ、スライド皿３の上面が枠体２の環状パッキン１２に対し、次第に強く圧接されてゆく。スライド皿３が最後まで押し込まれて枠体２に完全に収納される際には、スライド皿３上面が環状パッキン１２に対し最も強く圧接されるとともに、ロック機構２１のロック用突起２１ａとフック部２１ｂとが互いに係合され、枠体２とスライド皿３とがロック状態となる。
【００３１】
逆に、スライド皿３を枠体２から引き出すには、左右それぞれのロック解除ボタン２２ｃの操作部２２ｄを左右どちらか一方の手の、例えば親指と人差し指で同時に押圧する。あるいは左右両手の例えば人差し指などで同時に押圧してもよい。すると、枠体２とスライド皿３とが前後方向に互いに離間するよう引き離され、ロック機構２１のロック用突起２１ａとフック部２１ｂとの係合が解除される。ロック機構２１のロック状態が解除された後は、スライド皿３を、前端の蓋部５などを把持しつつ枠体２から容易に引き出すことができる。
【００３２】
以上説明したように、本実施形態にかかるスライド式コンパクト容器１にあっては、スライド皿３の下面に、下方に突出する係合凸部１８を形成し、枠体２の底板１１上面に、係合凸部１８を摺動自在に係合させてスライド皿３のスライド移動を案内する案内溝１５を形成するとともに、案内溝１５に、スライド皿３を枠体２の内方に押し込むにつれて、スライド皿３を環状パッキン１２に向かって押し上げる傾斜部１６を設けることとしたので、スライド皿３が枠体２に収納された状態では、従来技術のように圧接力を適度に弱めたりする必要も無く、スライド皿３上面が枠体２の天板８内側に設けられた環状パッキン１２に強く圧接される。その結果、スライド式コンパクト容器１の閉止状態において、化粧料収納部６の高い気密性を実現することが可能となる。
【００３３】
また、係合凸部１８は、環状パッキン１２の中央付近に配置されるとともに、その下端部が曲面に形成されることとしたので、スライド皿３は、枠体２の底板１１上に係合凸部１８を支点にピボット的に揺動自在に支持され、環状パッキン１２に圧接されるので、各構成要素の製造・組み立て時の寸法精度のばらつきなどによる、環状パッキン１２の周方向にわたる圧接力の不均一が適切に吸収され、化粧料収納部６の気密性をより一層高い水準に維持することが可能である。
【００３４】
また、スライド皿３と枠体２との間には、スライド皿３を枠体２に収納するときに、両者を互いに係脱自在に係合しロック状態とするロック機構２１と、当該ロック状態を解除するためのロック解除機構２２が設けられることとしたので、スライド式コンパクト容器１の閉止状態においてスライド皿３が自動的にスライド移動して引き出されてしまうことが確実に防止される。
【００３５】
また特に、本実施形態のロック解除機構２２は、切り欠き部１９に設けられスライド皿３のスライド移動方向に対し傾斜した第１傾斜面２２ａと、スライド皿３に設けられスライド式コンパクト容器１の閉止状態において、当該第１傾斜面２２ａに摺動自在に当接する第２傾斜面２２ｂを有するロック解除ボタン２２ｃとから構成することとしたので、従来技術では両手を用いてスライド皿を枠体から引き出す、すなわち片手で枠体を支持しつつ他方の手で枠体の後端開口部からスライド皿後端部を前方へと押し出すことによりロック状態を解除する必要があったのに対し、本実施形態では片手で、例えばスライド式コンパクト容器１を平坦な面上に載置したまま左右どちらかの手でロック解除ボタン２２ｃを押圧操作することにより、簡単にロック状態を解除することが可能である。さらに従来技術では、ロック解除のために枠体の後端部を開口する構成であったため、閉止状態においてスライド皿の後方が大気中に暴露されてしまい、化粧料収納部の気密性に対して悪影響を及ぼすという問題があったが、本実施形態では枠体２の後端部を開口しない構成であるため、閉止状態における化粧料収納部６の気密性をより一層高い水準に維持することが可能である。
【００３６】
また特に、本実施形態では、ロック機構２１やロック解除機構２２を、特段容器外方へ突出させて構成することなく、ほぼ枠体２の外形寸法内に収まる構成とすることとしたので、簡単かつ軽快に、枠体２とスライド皿３とを互いにロックしかつまた解除することが可能でありながら、スライド式コンパクト容器１全体の寸法を小さく押さえることが可能である。
【図面の簡単な説明】
【００３７】
【図１】本発明にかかるスライド式コンパクト容器の好適な一実施形態を示す斜視図である。スライド皿を途中まで引き出した状態を示している。
【図２】図１のスライド式コンパクト容器の、側断面図である。スライド皿を枠体に完全に収納した状態を示している。
【図３】図１のスライド式コンパクト容器の、平面断面図である。スライド皿を枠体に完全に収納した状態を示している。
【符号の説明】
【００３８】
１  スライド式コンパクト容器
２  枠体
３  スライド皿
６  化粧料収納部
８  （枠体の）天板
１１  （枠体の）底板
１２  環状パッキン
１５  案内溝
１６  傾斜部
１８  係合凸部
２１  ロック機構
２２  ロック解除機構
【図１】
2006263188.tif 000003
【図２】
2006263188.tif 000004
【図３】
2006263188.tif 000005